(57)【要約】【課題】マンガン砂フィルタは、処理水を濾過し、その中に含まれる二価マンガンを吸着により除去するため、濾過時間の経過とともに吸着性能が低下する。【解決手段】水を溜めるための１次タンク１２の前段に、１次タンク１２に溜められる水を事前に濾過するための大型フィルタ（第１のマンガン砂フィルタ）１１を設ける。通常は、１次タンク１２の水を汲み出し、循環型水浄化装置１３で循環して１次タンク１２へ戻し、浄化された水は２次タンク１４へ移送する。大型フィルタ１１のマンガン砂を再生する場合には、１次タンク１２の浄化された水をさらに循環型水浄化装置１３で循環させ、第１バルブＶ１、第２バルブＶ２、第３バルブＶ３、第４バルブＶ４を開閉制御して、バイパス水路３３を用いてオゾンが混入された水を大型フィルタ１１の前段に供給し、オゾンが混入された水によりマンガン砂の酸化による再生を行う。【選択図】図１
2010000438.tif 000002
【特許請求の範囲】
【請求項１】
水を溜めるための貯水タンクと、
前記貯水タンクの前段に設けられ、前記貯水タンクに溜められる水を事前に濾過するための、濾材にマンガン砂が使用された第１のマンガン砂フィルタと、
前記貯水タンクから汲み出した水にオゾンを混入することによって浄化し、浄化した水を前記貯水タンクへ戻すための循環型水浄化装置と、を有することを特徴とする水処理システム。
【請求項２】
前記循環型水浄化装置においてオゾンが混入された水を前記第１のマンガン砂フィルタを通過させるために、前記循環型水浄化装置から流出するオゾンが混入された水を前記第１のマンガン砂フィルタの前段へ流入させるためのバイパス水路が設けられていることを特徴とする、請求項１記載の水処理システム。
【請求項３】
前記バイパス水路を予め定める時間だけ開き、その時間以外は閉じるバイパス水路開閉制御装置が設けられていることを特徴とする、請求項２記載の水処理システム。
【請求項４】
前記バイパス水路開閉制御装置は、前記第１のマンガン砂フィルタの濾過時間が所定の時間に達したことに基づいて、前記バイパス水路を開くことを特徴とする、請求項３記載の水処理システム。
【請求項５】
前記バイパス水路開閉制御装置は、前記第１のマンガン砂フィルタで濾過された後の水の水質に基づいて、前記バイパス水路を開くか否かを判断することを特徴とする、請求項３記載の水処理システム。
【請求項６】
前記第１のマンガン砂フィルタで濾過された後の水の水質を検知するための濁度計、色度計または導電率計の少なくとも１つが、前記第１のマンガン砂フィルタの後段の水路に設けられていることを特徴とする、請求項５記載の水処理システム。
【請求項７】
前記循環型水浄化装置には、前記貯水タンクから汲み出した水を通過させて浄化するために、濾材にマンガン砂が使用された第２のマンガン砂フィルタおよび活性炭が使用された活性炭フィルタがさらに備えられていることを特徴とする、請求項１記載の水処理システム。
【発明の詳細な説明】
【技術分野】
【０００１】
この発明は、井戸、河川もしくは池等の水源から汲み出した水または雨水などの浄化を行う水処理システムに関する。
【背景技術】
【０００２】
従来より、井戸、河川もしくは池等の水源から汲み出した水または雨水などを浄化し、生活用水として使用したいという要望がある。特に、水道設備のインフラが十分に整っていない地域においては、井戸や河川の水を浄化して生活用水に利用したいという要望が高い。かかる要望に応えられる水処理システムの一例は、たとえば特開２００７−２６８３４２号公報に開示されている。
【０００３】
特許文献１に開示された「濾過システム」は、オゾンを用いた濾過システムであって、オゾンと被処理水とを混合する混合装置２と、オゾンが溶解した被処理水を反応させる反応タンク３と、反応タンク３を通過した被処理水から鉄分およびマンガン成分を除去する除鉄除マンガン装置４とを具備している。（特許文献１の［要約］参照）
【特許文献１】特開２００７−２６８３４２号公報
【発明の開示】
【発明が解決しようとする課題】
【０００４】
水処理装置の処理対象である被処理水は、地域によって水質が大きく異なる。被処理水が、たとえば不純物としてマンガン成分を多量に含む場合、特許文献１に開示された濾過システムでは、オゾンによる酸化処理を利用して除鉄および除マンガンを行うため、良好な濾過を継続するためには装置を大型化しなければならないが、大型化には限界があるという課題がある。
【０００５】
つまり、特許文献１の濾過システムでは、処理可能な被処理水は、マンガン濃度が制限されるという問題がある。
一方、被処理水中のマンガン成分を除去するためのフィルタとして、濾材にマンガン砂を用いたマンガン砂フィルタが知られている。マンガン砂フィルタは、大型化が比較的容易に実現でき、マンガン濃度が高い被処理水に対しても良好な濾過ができるといわれている。
【０００６】
しかしながら、マンガン砂フィルタは、処理水を濾過し、その中に含まれる二価マンガンを吸着により除去するため、濾過時間の経過とともに吸着性能が低下するという課題がある。
この発明は、このような技術的背景のもとになされたものであり、マンガン濃度の高い被処理水に対して良好に水質浄化を行うことのできる水処理システムを提供することを主たる目的とする。
【０００７】
この発明は、また、マンガン砂フィルタを用いた水処理システムであって、マンガン砂フィルタの吸着性能を容易に再生することができ、良好な水質浄化性能が保てる水処理システムを提供することを他の目的とする。
【課題を解決するための手段】
【０００８】
請求項１記載の発明は、水を溜めるための貯水タンクと、前記貯水タンクの前段に設けられ、前記貯水タンクに溜められる水を事前に濾過するための、濾材にマンガン砂が使用された第１のマンガン砂フィルタと、前記貯水タンクから汲み出した水にオゾンを混入することによって浄化し、浄化した水を前記貯水タンクへ戻すための循環型水浄化装置と、を有することを特徴とする水処理システムである。
【０００９】
請求項２記載の発明は、前記循環型水浄化装置においてオゾンが混入された水を前記第１のマンガン砂フィルタを通過させるために、前記循環型水浄化装置から流出するオゾンが混入された水を前記第１のマンガン砂フィルタの前段へ流入させるためのバイパス水路が設けられていることを特徴とする、請求項１記載の水処理システムである。
請求項３記載の発明は、前記バイパス水路を予め定める時間だけ開き、その時間以外は閉じるバイパス水路開閉制御装置が設けられていることを特徴とする、請求項２記載の水処理システムである。
【００１０】
請求項４記載の発明は、前記バイパス水路開閉制御装置は、前記第１のマンガン砂フィルタの濾過時間が所定の時間に達したことに基づいて、前記バイパス水路を開くことを特徴とする、請求項３記載の水処理システムである。
請求項５記載の発明は、前記バイパス水路開閉制御装置は、前記第１のマンガン砂フィルタで濾過された後の水の水質に基づいて、前記バイパス水路を開くか否かを判断することを特徴とする、請求項３記載の水処理システムである。
【００１１】
請求項６記載の発明は、前記第１のマンガン砂フィルタで濾過された後の水の水質を検知するための濁度計、色度計または導電率計の少なくとも１つが、前記第１のマンガン砂フィルタの後段の水路に設けられていることを特徴とする、請求項５記載の水処理システムである。
請求項７記載の発明は、前記循環型水浄化装置には、前記貯水タンクから汲み出した水を通過させて浄化するために、濾材にマンガン砂が使用された第２のマンガン砂フィルタおよび活性炭が使用された活性炭フィルタがさらに備えられていることを特徴とする、請求項１記載の水処理システムである。
【発明の効果】
【００１２】
請求項１記載の発明によれば、貯水タンクの前段に設けられた第１のマンガン砂フィルタにより、処理対象である水は、まず、マンガン砂により濾過される。このため、水に高濃度のマンガン成分が含まれていても、マンガン成分はマンガン砂によって除去され、貯水タンクに溜まる水は不純物としてのマンガン濃度の低い、オゾン処理のし易い水となる。よって、貯水タンクの水を汲み出してオゾンにより浄化し、タンクへ戻す循環型水浄化装置により、貯水タンクの水を効率良く、かつ良好に浄化することができる。
【００１３】
また、第１のマンガン砂フィルタで濾過される前の水に対しオゾンが作用されるわけではないので、高濃度のマンガンを含む水がオゾンによる酸化によって、第１のマンガン砂フィルタで吸着できない不純物を含んだ水（コロイド化したマンガン粒子等を含んだ水）になることはない。
この発明によれば、貯水タンクの前段に設けられた第１のマンガン砂フィルタは、たとえば井戸や河川等の水源から汲み上げられた水をまず濾過するため、マンガン濃度が高い水の場合は、濾材であるマンガン砂はマンガンイオンの吸着により、使用時間の経過とともに濾過性能が低下していく。濾過性能（吸着性能）が低下したマンガン砂は、酸化することによりその吸着性能を再生させることができる。請求項２記載の発明では、循環型水浄化装置においてオゾンが混入された水をバイパス水路を介して第１のマンガン砂フィルタに与えている。よって、オゾンが混入された水は第１のマンガン砂フィルタを通過する際、マンガン砂を酸化し、マンガン砂の吸着性能を再生する。
【００１４】
第１のマンガン砂フィルタにオゾンが混入された水を供給する構成は、バイパス水路という簡単な構成により実現されている。
また、請求項３記載の発明によれば、バイパス通路を開いてオゾンが混入された水を第１のマンガン砂フィルタへ与えるか否かは、バイパス水路開閉制御装置により行われるので、たとえば自動制御によって簡単にバイパス水路の開閉を行わせることができる。バイパス水路開閉制御装置としては、たとえばバイパス水路に介在されたバルブと、そのバルブを開閉するバルブ駆動装置等により容易に実現できる。特に、バルブを電磁バルブ等で構成すれば、バルブの開閉は電気的に簡単に行うことができる。
【００１５】
請求項４記載の発明によれば、第１のマンガン砂フィルタの濾過時間が所定の時間に達したことに基づいて、自動的に、バイパス水路開閉制御装置によりバイパス水路が開かれ、第１のマンガン砂フィルタにオゾン混入水が与えられる。このため、マンガン砂の吸着性能が所定時間の濾過によって劣化するごとに、マンガン砂を酸化により再生させることができる。
【００１６】
また、請求項５記載の発明では、第１のマンガン砂フィルタで濾過された後の水の水質を検知し、第１のマンガン砂フィルタの濾過能力が実際に低下したときに、バイパス水路が開かれ、オゾン混入水が第１のマンガン砂フィルタに与えられる。
よって、第１のマンガン砂フィルタの酸化による再生は、第１のマンガン砂フィルタの吸着性能が実際に低下するごとに行われるので、効率良く第１のマンガン砂フィルタを再生することが可能である。
【００１７】
水質の検知は、請求項６記載のように、第１のマンガン砂フィルタの後段の水路に、濁度計、色度計、導電率計等の計測器を配置することにより、容易に、安価に、かつ確実に行うことができる。
請求項７記載の発明によれば、第１のマンガン砂フィルタでマンガン成分等が相当量除去された水に対して、さらに、第２のマンガン砂フィルタおよび活性炭フィルタによる濾過およびオゾンによる浄化が行われるので、浄化性能の良好な水処理システムとすることができる。
【発明を実施するための最良の形態】
【００１８】
以下には、図面を参照して、この発明の実施形態について具体的に説明をする。
図１は、この発明の一実施形態に係る水処理システムの全体構成を示すレイアウトブロック図である。
この実施形態に係る水処理システム１０には、大型フィルタ１１と、大型フィルタ１１で濾過された水を溜めるための１次タンク１２と、１次タンク１２に溜められた水を汲み出して浄化し、１次タンク１２に戻す循環型水浄化装置１３と、循環型水浄化装置１３によって浄化された後の水を１次タンク１２から移送して溜めるための２次タンク１４とが含まれている。
【００１９】
この実施形態に係る水処理システム１０の特徴の１つは、循環型水浄化装置１３により水を浄化するのに先立ち、大型フィルタ１１によって水を濾過する構成が採用されていることである。つまり、大型フィルタ１１により濾過された後の水が１次タンク１２に溜められ、１次タンク１２に溜められた水に対して循環型水浄化装置１３が浄化処理を行うので、循環型水浄化装置１３により効率の良い浄化を行うことのできる構成である。
【００２０】
水処理システム１０の構成につき、水の流れに従い、より具体的に説明をする。井戸等の水源１５の水（被処理水としての原水）は、汲み上げポンプ１６により第１水路１７を通って汲み上げられ、大型フィルタ１１へ与えられる。
大型フィルタ１１は、濾材にマンガン砂が使用された第１のマンガン砂フィルタであって、たとえば容積５０リットルの容器に濾材のマンガン砂が約３０リットル入ったものである。マンガン砂は、たとえば粒径が０．６ｍｍ程度の普通の砂がマンガンでコーティングされたものであり、濾材としては公知のものである。この大型フィルタ１１に対し、汲み上げポンプ１６によってたとえば１０リットル／ｍｉｎで汲み上げられた水が流入される。
【００２１】
大型フィルタ（第１のマンガン砂フィルタ）１１で水が濾過されると、水に含まれる鉄イオン、マンガンイオンという鉄分およびマンガン成分がマンガン砂に吸着されて除去される。このとき、濁度成分（たとえば塵挨、砂等）の除去も同時に行われる。そして相当量の鉄分およびマンガン成分が除去された水は第２水路１８を通って１次タンク１２に貯留される。
【００２２】
１次タンク１２は、たとえば２２０リットルの内容積を有し、水位センサ１９が備えられている。水位センサ１９により、下限水位１９１および上限水位１９２を設定することができる。そして水位センサ１９は、下限水位１９１から上限水位１９２に達するまでは接点がたとえばオンし、上限水位９２に達してから下限水位１９１に達するまでは接点がオフとなるセンサを使用することができる。かかる水位センサ１９を使用し、汲み上げポンプ１６の動力線に直列に接続することで、汲み上げポンプ１６は、１次タンク１２の水位が下限水位１９１になると駆動されて水源１５の汲み上げを開始し、１次タンク１２の水位が上限水位１９２になると汲み上げ動作を停止する構成とすることができる。
【００２３】
１次タンク１２に貯留された水は第３水路２０を通って循環型水浄化装置１３へ与えられ、循環型水浄化装置１３で浄化された後、第４水路２１を通って１次タンク１２へ戻される。
循環型水浄化装置１３の構成例を図２に示す。
図２を参照して、循環型水浄化装置１３には、水が流れる水路２２が設けられていて、水路２２における水の流れに沿って、順に、循環ポンプ２３、第２のマンガン砂フィルタ２４、活性炭フィルタ２５およびベンチュリー管２６が配置されている。循環ポンプ２３は１次タンク１２に貯留された水を第３水路２０を介して定量的に汲み出し、その汲み出した水を水路２２を通過させて第４水路２１を通して１次タンク１２へ戻すための水循環装置として機能する。
【００２４】
水路２２には、第２のマンガン砂フィルタ２４および活性炭フィルタ２５が、この順序で介在されているから、循環ポンプ２３により１次タンク１２から汲み出された水は、まず第２のマンガン砂フィルタ２４により水中の鉄分やマンガン成分が吸着され、さらに活性炭フィルタ２５を通って臭気成分、有機物等が除去される。第２のマンガン砂フィルタ２４を通過する水は、前述したように、前段の大型フィルタ１１により鉄分やマンガン成分が相当量除去されているから、水中に残存している相対的に少ない量の鉄分やマンガン成分が第２のマンガン砂フィルタ２４で除去されることになる。また、このとき、濁度成分（たとえば塵挨、砂等）も濾過され、除去される。
【００２５】
そして活性炭フィルタ２５を通った後、水はベンチュリー管２６を流れる。ベンチュリー管２６には水路径が絞られた絞り部２６１と、絞り部２６１へ気体を供給するための気体導入管２６２が備えられている。そしてオゾン発生器２７により発生されるオゾンが、導入管２６２を介してベンチュリー管２６の絞り部２６１へ負圧により吸い込まれる。その結果、ベンチュリー管２６を流れる水にオゾンを含む空気が混入される。そして水中に混入された微細な気泡であるオゾンは水に含まれる細菌、各種イオンその他の不純物を酸化し、水を浄化する。水中に混入されたオゾンは、不純物と結合して酸化するまでの間は酸化作用を有している。換言すれば、オゾンが混入された水は、オゾンによる酸化作用が活性化した状態のオゾン水として１次タンク１２へ戻され、１次タンク１２の水の浄化も行う。
【００２６】
循環型水浄化装置１３には、さらに、循環ポンプ２３およびオゾン発生器２７の駆動を制御するためのコントロール部２８が備えられている。
なお、後述するように、コントロール部２８は、水処理システム１０に含まれる各種の電気部品も併せて制御するようにされている。
図１に戻って、１次タンク１２に溜められた浄化された水は、第５水路２９を通って２次タンク１４へ移送される。そのため、第５水路２９には移送ポンプ３０が介在されている。また、第５水路２９には移送される水の水質を検知するための水質検知器３１が介在されている。
【００２７】
２次タンク１４は、たとえば５００リットルの内容積のタンクであり、水位センサ３２が設けられており、水位センサ３２が下限水位３２１を検出すると、移送ポンプ３０が駆動され、１次タンク１２の浄化された水が２次タンク１４へ移送される。また、２次タンク１４の水位センサ３２が上限水位３２２を検知すると、移送ポンプ３０の駆動が停止されて、１次タンク１２から２次タンク１４への水の移送が停止される。
【００２８】
さらに、移送ポンプ３０は、第２水路１８を通って１次タンク１２へ水が供給されている場合、および、１次タンク１２の水が循環型水浄化装置１３で浄化されている間は駆動しないようにされている。
図１に示す水処理システム１０には、さらに、第４水路２１から分岐され、大型フィルタ１１の前段、より具体的には第１水路１７の下流端近傍に接続されたバイパス水路３３が備えられている。そして大型フィルタ１１に流入させる水をバイパス水路３３を通って送られてくる水（オゾン水）にするか、第１水路１７を通って汲み上げられる水にするかを切り換えるために、４つのバルブが備えられている。
【００２９】
具体的には、第１水路１７における汲み上げポンプ１６よりも下流側であって、第１水路１７とバイパス水路３３との合流部Ｊ１の上流側には第１バルブＶ１が設けられている。また、バイパス水路３３には、合流部Ｊ１近傍に第２バルブＶ２が設けられている。さらに第４水路２１とバイパス水路３３との分岐部Ｊ２よりも下流側の第４水路２１には第３バルブＶ３が設けられている。さらに、バイパス水路３３の分岐部Ｊ２よりやや下流側の位置に第４バルブＶ４が設けられている。
【００３０】
バイパス水路３３を設けたのは、大型フィルタ１１に収容された濾材としてのマンガン砂の吸着能力が低下したとき、マンガン砂をオゾンが混入されたオゾン水によって酸化し、マンガン砂を再生させるためである。
通常状態では、第１バルブＶ１は開、第２バルブＶ２は閉、第３バルブＶ３は開、第４バルブＶ４は閉となっているが、マンガン砂の再生を行う場合は、第１バルブＶ１は閉、第２バルブＶ２は開、第３バルブＶ３は閉、第４バルブＶ４は開として、循環型水浄化装置１３によりオゾンが混入された水をバイパス水路３３を通して大型フィルタ１１の前段側へ導き、オゾンが混入された水を大型フィルタ１１へ流入させることにより、マンガン砂フィルタをオゾンの酸化作用により再生させる構成とした。
【００３１】
この再生工程は、１次タンク１２の水の浄化が終了した後に、１次タンク１２の清浄な水を用いて一定時間（たとえば１時間）行われる。マンガン砂の再生処理後は、通常通り、１次タンク１２の浄化された水は、２次タンク１４へ移送して使用される。
図３は、図１に示す水処理システム１０の電気的な構成を示すブロック図である。
水源１５から水を汲み上げるための汲み上げポンプ１６は、先に説明したように、１次タンク１２の水位センサ１９と電源に直列接続されており、水位センサ１９が下限水位１９１に達するとオンされ、上限水位１９２に達するとオフされる構成となっている。このように、水位センサ１９の検出水位だけによって汲み上げポンプ１６がオン／オフされるのではなく、コントロール部２８によって汲み上げポンプ１６がオン／オフ制御される構成としてもよい（図３のコントロール部２８から汲み上げポンプ１６への破線矢印参照）。
【００３２】
コントロール部２８には、１次タンク１２の水位センサ１９の検出水位および２次タンク１４の水位センサ３２の検出水位が与えられる。また、第５水路２９に介挿された水質検知器３１の水質検知信号が与えられる。
コントロール部２８にはタイマ２８１やカウンタ２８２が備えられており、後述するように、タイマ２８１により計測される時間データやカウンタ２８２により計測される計数データがシステムの制御に利用される。
【００３３】
コントロール部２８は、循環ポンプ２３、オゾン発生器２７、第１バルブＶ１、第２バルブＶ２、第３バルブＶ３、第４バルブＶ４および移送ポンプ３０の動作を制御する。
図４は、コントロール部２８により実行される制御動作の一例を示すフローチャートである。次に、図４のフローチャートの流れに従って、コントロール部２８の制御動作について説明をする。
【００３４】
制御動作が始まると、コントロール部２８は前回の再生からたとえば７２時間が経過したか否かの判別をする。すなわち、循環型水浄化装置１３で作られたオゾンを含む水をバイパス水路３３を通して大型フィルタ１１へ供給し、大型フィルタ１１のマンガン砂の再生を行ってから７２時間が経過したか否かの判別がされる。
そして７２時間経過した時点で、再生工程フラグ２８３を立てる（ステップＳ２）。
【００３５】
コントロール部は、また、１次タンク１２が満水か否かを、水位センサ３２の検出水位に基づき判別する（ステップＳ３）。
そして１次タンク１２に溜められた水が上限水位に達し、満水になったら、循環型水浄化装置１３の循環ポンプ２３をオンし、またオゾン発生器（オゾナイザー）２７をオンする（ステップＳ４）。これにより、１次タンク１２の水は第３水路２０から循環型水浄化装置１３へ取り出され、循環型水浄化装置１３において第２のマンガン砂フィルタ２４および活性炭フィルタ２５で濾過されるとともに、濾過後の水にオゾンが混入されて浄化され、第４水路２１を通って１次タンク１２へ戻されるように循環される。
【００３６】
なお、ステップＳ１において、１次タンク１２が満水であることが判別されると、先に説明したように、汲み上げポンプ１６は水位センサ１９の上限水位検知によりオフされるので、大型フィルタ１１で濾過された水が１次タンク１２へさらに供給されることはない。
循環型水浄化装置１３による循環浄化は、たとえば３０分間行われ、３０分経過したことが判別されると（ステップＳ５）、コントロール部２８は循環ポンプ２３をオフするとともに、オゾン発生器２７をオフして、通常浄化処理を終える（ステップＳ６）。
【００３７】
コントロール部２８は、その後、再生工程フラグ２８３が立っているか否かの判別をする（ステップＳ７）。再生工程フラグ２８３が立っていなければ、２次タンク１４の水位が上限水位（満水）か否かの判別をし（ステップＳ８）、２次タンク１４が満水でなければ、移送ポンプ３０をオンして（ステップＳ９）、１次タンク１２に溜まった浄化された水を２次タンク１４へ移送する。
【００３８】
移送中は、１次タンク１２の水位が下限水位１９１になったか否かを判別しており（ステップＳ１０）、１次タンク１２の水位が下限水位１９１になったときには、移送ポンプ３０をオフする（ステップＳ１１）。
１次タンク１２が下限水位１９１になると、電源電力が水位センサ１９を介して汲み上げポンプ１６へ与えられ、汲み上げポンプ１６が駆動されて、水源１５の水が大型フィルタ１１で濾過されて１次タンク１２へ供給される。このように、１次タンク１２では、満水位になるとその水が循環型水浄化装置１３により浄化され、浄化された水が無くなって下限水位になると大型フィルタ１１で濾過された水が供給される。よって、この実施形態の水処理システムは、バッチ処理により、１次タンク１２への水の供給および供給された水の浄化が行われる。
【００３９】
ステップＳ１０で、１次タンク１２が下限水位でなければ、２次タンク１４が満水位か否かの判別がされる（ステップＳ１２）。そして１次タンク１２は下限水位ではないが、２次タンク１４が満水位になれば、移送ポンプ３０をオフして（ステップＳ１３）、処理はステップＳ８へと戻る。
ステップＳ７において、再生工程フラグ２８３が立っている場合には、コントロール部２８はマンガン砂の再生工程を実行する。
【００４０】
すなわち、第１バルブＶ１および第３バルブＶ３を閉じ、第２バルブＶ２および第４バルブＶ４を開ける（ステップＳ１４）。これにより、バイパス水路３３が開通され、循環型水浄化装置１３で作られるオゾン混入水が大型フィルタ１１へ供給できる状態となる。そして循環型水浄化装置１３の循環ポンプ２３がオンされるとともに、オゾン発生器２７がオンされ、再生処理が開始される（ステップＳ１５）。
【００４１】
再生処理は、この実施形態ではたとえば６０分間実行され（ステップＳ１６）、コントロール部２８は６０分経過を判別すると、循環ポンプ２３をオフし、オゾン発生器２７をオフして、再生処理を終了させる（ステップＳ１７）。
そして第２バルブＶ２および第４バルブＶ４を閉じ、第１バルブＶ１および第３バルブＶ３を開けて通常処理ができる状態に切り換える（ステップＳ１８）。
【００４２】
そしてステップＳ８の処理へと進む。
図４に示す制御処理に代えて、あるいは図４に示す制御処理に加えて、たとえばステップＳ９〜Ｓ１３の処理中に、図５に示す制御を挿入してもよい。
図５に示す制御では、水質検知器３１が水質低下を検知したか否かが判別される（ステップＳ２１）。そして水質検知器３１により水質低下が検知されたときには、再生工程フラグを立てる（ステップＳ２２）。
【００４３】
このように、前回の再生から７２時間を経過したか否かに基づいて（ステップＳ１）、次の再生工程を行うか否かを制御するやり方に加えて、あるいはそのやり方に代えて、水質検知器３１が検知した水質が低下したことに基づき、再生工程フラグを立てて、大型フィルタ１１のマンガン砂の再生処理を行う構成としてもよい。
また、図１に示す構成では、水質検知器３１は、第５水路２９に介在されているが、水質検知器３１は第２水路１８に介在されていてもよい。水質検知器３１を第２水路１８に設けた場合には、図５で説明した処理は、ステップＳ１１→Ｓ１→（Ｓ２）→Ｓ３と行われる処理中に挿入されるようにすればよい。
【００４４】
上述した水質検知器３１としては、水の濁度を検出する濁度計、水の着色具合を検出する色度計、水の導電率を検出する導電率計等を個別に、あるいは組み合わせて用いることができる。濁度計によれば、水の濁りが検知されるので、水がある程度濁った場合に水質低下を検知できる。色度計によれば、水が透明ではなく、水に色が着いている場合に、水質低下を検知できる。
【００４５】
導電率計によれば、水に含まれるイオン成分等により水の導電率が変化するので、イオン成分という不純物の含有量が増えたとき、水の水質低下を検知することができる。
この発明は、以上説明した実施形態に限定されるものではなく、請求項記載の範囲内において種々の変更が可能である。
【図面の簡単な説明】
【００４６】
【図１】この発明の一実施形態に係る水処理システムの全体構成を示すレイアウトブロック図である。
【図２】循環型水浄化装置１３の構成例を示すブロック図である。
【図３】図１に示す水処理システム１０の電気的な構成を示すブロック図である。
【図４】コントロール部２８により実行される制御動作の一例を示すフローチャートである。
【図５】図４に示す制御処理中に挿入され得る制御動作を示すフローチャートである。
【符号の説明】
【００４７】
１０    水処理システム
１１    大型フィルタ（第１のマンガン砂フィルタ）
１２    １次タンク（貯水タンク）
１３    循環型水浄化装置
１４    ２次タンク
２４    第２のマンガン砂フィルタ
２５    活性炭フィルタ
３３    バイパス水路
Ｖ１    第１バルブ
Ｖ２    第２バルブ
Ｖ３    第３バルブ
Ｖ４    第４バルブ
【図１】
2010000438.tif 000003
【図２】
2010000438.tif 000004
【図３】
2010000438.tif 000005
【図４】
2010000438.tif 000006
【図５】
2010000438.tif 000007